(57)【特許請求の範囲】
【請求項１】
被番組推薦装置に対し、通信回線を介して番組推薦情報を送信する番組推薦装置において、
放送中、または将来放送予定の番組情報を供給する番組情報取得部と、
視聴中の番組、または上記番組情報取得部から供給される番組情報の中から指定された番組に基づいて、その番組を特定するための情報を含む番組推薦情報を生成する番組推薦情報生成部と、
上記番組推薦情報を送信することが可能な被番組推薦装置のリストを生成する推薦先特定部と、
上記リストを表示し、被番組推薦装置の指定入力を受けるインタフェース部と、
上記指定された被番組推薦装置に、上記番組推薦情報を送信する通信部を備え、
上記番組推薦情報生成部は、番組推薦者の同一番組の視聴時間に基づいて、番組推薦情報に含める推薦番組を決定することを特徴とする番組推薦装置。
【請求項２】
被番組推薦装置に対し、通信回線を介して番組推薦情報を送信する番組推薦装置において、
放送中、または将来放送予定の番組情報を供給する番組情報取得部と、
視聴中の番組、または上記番組情報取得部から供給される番組情報の中から指定された番組に基づいて、その番組を特定するための情報を含む番組推薦情報を生成する番組推薦情報生成部と、
上記番組推薦情報を送信することが可能な被番組推薦装置のリストを生成する推薦先特定部と、
上記リストを表示し、被番組推薦装置の指定入力を受けるインタフェース部と、
上記指定された被番組推薦装置に、上記番組推薦情報を送信する通信部と、
番組を録画および再生すると共に、録画番組の番組情報を生成および保持する録画・再生部を備え、
上記番組推薦情報生成部は、視聴中の録画番組、または上記番組情報中から指定された番組に基づいて、番組推薦情報を生成することを特徴とする番組推薦装置。
【請求項３】
番組推薦情報生成部は、録画予約された番組を番組推薦情報に含めることを特徴とする請求項２に記載の番組推薦装置。
【請求項４】
番組推薦装置から、通信回線を介して送信された番組推薦情報を受信する被番組推薦装置において、
放送中、または将来放送予定の番組情報を供給する番組情報取得部と、
番組推薦装置から送信される番組推薦情報を受信する通信部と、
上記番組推薦装置からの番組推薦を許可するか否かを判断するための権限情報を保持する番組推薦元管理テーブルと、
上記番組推薦元管理テーブルを参照し、上記番組推薦装置に与えられた権限情報を供給する番組推薦元認証部と、
上記番組推薦元認証部から供給された権限情報を参照し、上記番組推薦装置に推薦許可の権限が与えられている場合には、上記番組情報取得部から供給される番組情報の中から、上記番組推薦情報に含まれる番組を特定する番組推薦部と、
上記番組推薦部で特定された番組の、上記番組推薦情報に基づく推薦情報を表示する表示部と、
番組を録画および再生すると共に、録画番組の番組情報を生成および保持する録画・再生部を備え、
上記番組推薦部は、上記録画番組の番組情報を参照することにより、録画番組の中から番組推薦情報に含まれる番組を特定することを特徴とする被番組推薦装置。
【請求項５】
番組推薦部は、録画番組中に番組推薦情報に含まれる番組が無かった場合には、番組情報取得部から供給される番組情報の中から番組を特定することを特徴とする請求項４に記載の被番組推薦装置。
【請求項６】
番組推薦部は、番組推薦情報に将来放送予定の番組が含まれる場合には、録画・再生部に当該番組の録画予約を行わせることを特徴とする請求項４に記載の被番組推薦装置。
【請求項７】
録画・再生部は、番組推薦情報に含まれる将来放送予定の番組の録画が完了したら、録画された番組と、上記番組推薦情報に基づく推薦情報を表示部に表示させることを特徴とする請求項４に記載の被番組推薦装置。
【請求項８】
番組推薦装置から、通信回線を介して送信された番組推薦情報を受信する被番組推薦装置において、
放送中、または将来放送予定の番組情報を供給する番組情報取得部と、
番組推薦装置から送信される番組推薦情報を受信する通信部と、
上記番組推薦装置からの番組推薦を許可するか否かを判断するための権限情報を保持する番組推薦元管理テーブルと、
上記番組推薦元管理テーブルを参照し、上記番組推薦装置に与えられた権限情報を供給する番組推薦元認証部と、
上記番組推薦元認証部から供給された権限情報を参照し、上記番組推薦装置に推薦許可の権限が与えられている場合には、上記番組情報取得部から供給される番組情報の中から、上記番組推薦情報に含まれる番組を特定する番組推薦部と、
上記番組推薦部で特定された番組の、上記番組推薦情報に基づく推薦情報を表示する表示部を備え、
上記番組推薦部は、番組推薦情報に含まれる推薦番組中の特定シーンを指定する情報に基づいて録画番組を編集し、上記特定シーンのみを表示する番組を作成することを特徴とする被番組推薦装置。
【発明の詳細な説明】
【技術分野】
【０００１】
この発明は、端末間でネットワークを介して番組推薦情報を通知する、番組推薦装置、被番組推薦装置、および番組推薦システムに関するものである。
【背景技術】
【０００２】
放送電波や、インターネットを介して供給される大量の番組コンテンツの中から、信頼できる情報に基づいてよい番組を選択する手段への要求が高まっている。従来、ＴＶ番組等の推薦・紹介は、友人、知人等からの口コミや、電子メール、インターネット上の掲示板、チャットなどのコミュニケーション手段を介してやり取りされていた。
例えば、特開２００２−２１８４２８号公報に開示された従来の番組紹介システムでは、番組紹介者は、紹介者端末を用いて被紹介者端末に紹介したい番組を通知する。紹介者端末は、番組を視聴している紹介者からの入力により、紹介する番組とその場面とを特定する情報と被紹介者情報とを含む紹介情報を作成し、紹介配信サーバへ送出する。紹介配信サーバは、紹介情報に基づいて管理サーバに蓄積された番組コンテンツの中から紹介映像を取得し、被紹介者端末へ配信する。被紹介者端末では、紹介映像を表示し番組本編の視聴要求があれば、番組本編視聴要求を紹介配信サーバへ送出する。紹介配信サーバは、管理サーバに依頼して番組本編のコンテンツを取得し、その番組本編を被紹介者端末へ配信する。
【先行技術文献】
【特許文献】
【０００３】
【特許文献１】特開２００２−２１８４２８号公報
【発明の概要】
【発明が解決しようとする課題】
【０００４】
従来の番組紹介システムは以上のように構成されており、番組本編の内容がネットワークを介して被紹介者端末へ再配信されるため、著作権上の問題が発生していた。特に、デジタルコピーには、品質が劣化しないという特徴があるため、今後デジタル放送の普及が本格化するにつれ、これは重要な問題になることが予想される。
また、番組本編のデータを送信することにより、多くの通信帯域を使用していたという問題があった。
この発明は上記のような課題を解決するためになされたもので、著作権侵害を回避すると共に、通信データ量を削減し、効率的な番組紹介を実現することが可能な番組推薦装置、被番組推薦装置、および番組推薦システムを得ることを目的とする。
【課題を解決するための手段】
【０００５】
この発明に係る番組推薦装置は、被番組推薦装置に対し、通信回線を介して番組推薦情報を送信する番組推薦装置において、放送中、または将来放送予定の番組情報を供給する番組情報取得部と、視聴中の番組、または上記番組情報取得部から供給される番組情報の中から指定された番組に基づいて、その番組を特定するための情報を含む番組推薦情報を生成する番組推薦情報生成部と、上記番組推薦情報を送信することが可能な被番組推薦装置のリストを生成する推薦先特定部と、上記リストを表示し、被番組推薦装置の指定入力を受けるインタフェース部と、上記指定された被番組推薦装置に、上記番組推薦情報を送信する通信部を備え、上記番組推薦情報生成部は、番組推薦者の同一番組の視聴時間に基づいて、番組推薦情報に含める推薦番組を決定するものである。
【発明の効果】
【０００６】
これにより、番組そのものではなく、番組推薦者が推薦する番組を特定するための情報のみを被番組推薦装置に通知するので、番組コンテンツの著作権侵害を回避できるとともに、通信帯域の効率的な使用が可能になる。
【図面の簡単な説明】
【０００７】
【図１】この発明の実施の形態１による、番組推薦システムの構成を示す図である。
【図２】実施の形態１による、番組推薦端末の構成を示すブロック図である。
【図３】実施の形態１による、被番組推薦端末の構成を示すブロック図である。
【図４】実施の形態１による、番組推薦端末の動作を説明する図である。
【図５】実施の形態１による、番組推薦端末において番組推薦情報を確認するための画面表示を示す図である。
【図６】実施の形態１による、番組推薦端末において番組推薦メッセージを入力するための画面表示を示す図である。
【図７】実施の形態１による、被番組推薦端末の動作を説明する図である。
【図８】実施の形態１による、番組推薦元管理テーブルの内容を示す図である。
【図９】実施の形態１による、被番組推薦端末において番組推薦情報を表示するための画面表示を示す図である。
【図１０】実施の形態２による、番組推薦端末の構成を示すブロック図である。
【図１１】実施の形態２による、被番組推薦端末の構成を示すブロック図である。
【図１２】実施の形態２による、番組推薦元管理テーブルの内容を示す図である。
【図１３】実施の形態３による、番組推薦端末において推薦シーンを指定するための画面表示を示す図である。
【発明を実施するための形態】
【０００８】
以下、この発明をより詳細に説明するために、この発明を実施するための最良の形態について、添付の図面にしたがって説明する。
【０００９】
実施の形態１．
図１は、この発明の実施の形態１による、番組推薦システムの構成を示す図である。図に示すように、この番組推薦システムは、放送局１０、番組推薦端末２０、被番組推薦端末３０、ネットワーク４０を備えている。
番組推薦端末２０および被番組推薦端末３０は、ネットワーク４０を介して接続されている。
図２は、実施の形態１による番組推薦端末２０の構成を示すブロック図である。図に示すように、番組推薦端末２０は、アンテナ２０１、放送受信部２０２、番組情報取得部２０３、表示部（インタフェース部）２０４、通信部２０５、番組推薦情報生成部２０６、システム制御部２０７、推薦先特定部２０８、および操作入力部（インタフェース部）２０９を備えている。
【００１０】
放送受信部２０２、番組情報取得部２０３、通信部２０５、番組推薦情報生成部２０６、システム制御部２０７、および推薦先特定部２０８は、番組推薦端末２０のプロセッサを構成する部分であり、該プロセッサの動作を制御するプログラムのモジュールに従って分けられている。
アンテナ２０１は、放送局１０からの放送波を受信する。アンテナ２０１を介して受信する信号の内容には、番組コンテンツ自体の他、放送予定の番組の番組情報も含まれる。番組情報には、番組毎に、番組を特定する番組ＩＤ、番組タイトル、チャンネル、放送時間、ジャンル、キーワード等の情報が含まれている。
表示部２０４は、ディスプレイ等の表示装置であり、操作入力部２０９は、ユーザが番組推薦端末２０への操作入力を行うための入力装置である。
【００１１】
図３は、実施の形態１による被番組推薦端末３０の構成を示すブロック図である。図に示すように、被番組推薦端末３０は、アンテナ３０１、放送受信部３０２、番組情報取得部３０３、表示部３０４、通信部３０５、番組推薦部３０６、システム制御部３０７、番組推薦元認証部３０８、操作入力部３０９、および番組推薦元管理情報記憶部３１０を備えている。
放送受信部３０２、番組情報取得部３０３、通信部３０５、番組推薦部３０６、システム制御部３０７、および番組推薦元認証部３０８は、被番組推薦端末３０のプロセッサを構成する部分であり、該プロセッサの動作を制御するプログラムのモジュールに従って分けられている。
【００１２】
アンテナ３０１は、放送局１０からの放送波を受信する。アンテナ３０１を介して受信する信号の内容には、番組コンテンツ自体の他、放送予定の番組の番組情報も含まれる。番組情報には、番組毎に、番組を特定する番組ＩＤ、番組タイトル、チャンネル、放送時間、ジャンル、キーワード等の情報が含まれている。
表示部３０４は、ディスプレイ等の装置であり、操作入力部３０９は、ユーザが被番組推薦端末３０への操作入力を行うための入力装置である。
番組推薦元管理情報記憶部３１０は、被番組推薦端末３０内部の記憶装置、或いは通信回線で接続された外部の記憶装置である。番組推薦元管理情報記憶部３１０は、番組推薦元管理テーブルを格納している。
【００１３】
次に、動作について説明する。
まず、番組推薦端末２０による番組推薦処理について説明する。
図４は、番組推薦端末２０の動作を説明する図である。まず、ユーザが推薦したい番組を操作入力部２０９を介して指定し、指定された番組推薦要求が、システム制御部２０７に通知される（ステップＳＴ４０）。
ユーザが、操作入力部２０９を用いて推薦番組を指定する場合、まず、ユーザが視聴中の番組を指定することができる。また、番組情報取得部２０３が放送受信部２０２を介して取得した、放送中および将来放送予定の番組情報を表示部２０４を介して画面上に表示させ、そこから番組を選択してもよい。
【００１４】
次に、操作入力部２０９から番組推薦要求を受けたシステム制御部２０７は、番組推薦情報生成部２０６に対して番組推薦情報生成要求を通知する（ステップＳＴ４１）。番組推薦情報生成要求には、ユーザが選択した番組の番組情報が含まれる。
番組推薦情報生成部２０６は、通知された番組情報を基に番組推薦情報Ｒを生成し、システム制御部２０７へ通知する（ステップＳＴ４２）。
番組推薦情報生成部２０６によって生成される番組推薦情報Ｒの内容には、例えば通知された番組情報に含まれる各番組の番組ＩＤが利用できる。この場合、被番組推薦端末３０は、番組推薦端末２０から番組推薦情報を受信した際、この番組ＩＤを用いて推薦番組を特定することができる。
【００１５】
また、番組ＩＤの代りに、ユーザが推薦した番組のジャンル、キーワード、チャンネル、放送時間帯などの複数の情報の組み合わせを番組推薦情報Ｒとしても良い。この場合には、被番組推薦端末３０は、これらの条件に当てはまる複数の番組を推薦番組として特定することができる。
また、ユーザの番組視聴時間を観察し、同一の番組を一定時間以上見ていることを検出したら、自動的にその番組の番組ＩＤを番組推薦情報Ｒに含めるようにしても良い。
また、ユーザの番組視聴傾向に基づいて、ユーザの好みの番組のジャンル、キーワード、チャンネル、放送時間帯等を推定し、番組推薦情報Ｒとしても良い。
また、番組推薦情報生成部２０６が、指定された番組情報を基に、後述する被番組推薦端末３０の番組推薦部３０６の機能に相当するプログラムモジュールの全て、あるいは一部を生成し、番組推薦情報Ｒとしてもよい。
【００１６】
システム制御部２０７は、番組推薦情報生成部２０６から番組推薦情報Ｒを取得したら、推薦先特定部２０８に対し、推薦先リスト取得要求を通知する（ステップＳＴ４３）。
推薦先特定部２０８は、予め登録されていた推薦先リストをシステム制御部２０７に供給する（ステップＳＴ４４）。推薦先リストは、被番組推薦端末３０の所有者であるユーザの名前と、被番組推薦端末３０をネットワーク上で特定するためのアドレス情報が対応づけられたものである。アドレス情報の形式は通信路に依存するが、ＩＰネットワークであればＩＰアドレス、電話網であれば電話番号である。
システム制御部２０７は、推薦先リストを取得したら、表示部２０４に対し、画面上に図５に示すような番組推薦情報確認ダイアログ５１を表示するよう命令する。図に示すように、番組推薦情報確認ダイアログ５１は、番組タイトル指定領域５２、番組推薦先指定領域５３、推薦確認ボタン５４、推薦中止ボタン５５から構成される。
【００１７】
番組タイトル指定領域５２には、ステップＳＴ４０で指定された推薦番組のタイトルが表示される。番組推薦先指定領域５３は、例えばリストボックスのような複数の選択肢を表示可能なインタフェースになっており、システム制御部２０７が推薦先特定部２０８から取得した推薦先リストに含まれるユーザ名が表示される。
ユーザは、番組推薦情報確認ダイアログ５１が表示されたら、操作入力部２０９を操作し、番組推薦先指定領域５３から番組を推薦したいユーザ名を指定する。また、番組タイトル指定領域５２で推薦番組を確認し、推薦確認ボタン５４を選択する。操作入力部２０９を介して推薦確認ボタン５４が選択されると、推薦先選択入力が、システム制御部２０７に通知される（ステップＳＴ４５）。
【００１８】
また、番組の推薦をやめる場合には、ユーザは番組推薦情報確認ダイアログ５１上の推薦中止ボタン５５を選択する。これにより、番組推薦処理が中止される。
システム制御部２０７は、ステップＳＴ４５で推薦先選択入力を受信すると、ステップＳＴ４４で取得した推薦先リストの中から、受信した推薦先のユーザ名に対応する被番組推薦端末３０のネットワークアドレスＤを取得する（ステップＳＴ４６）。
システム制御部２０７は、推薦先のネットワークアドレスＤを取得すると、表示部２０４に対し、画面上に図６に示すような番組推薦メッセージ入力ダイアログ６１を表示するよう命令する。図に示すように、番組推薦メッセージ入力ダイアログ６１は、メッセージ入力領域６２から構成される。
【００１９】
ユーザは、番組推薦メッセージ入力ダイアログ６１が表示されたら、操作入力部２０９を操作し、メッセージ入力領域６２に、被番組推薦者へのメッセージの入力を行う。入力されたメッセージ情報Ｍは、システム制御部２０７に通知される（ステップＳＴ４７）。
次に、システム制御部２０７は、通信部２０５に対し、ネットワークアドレスＤによって特定される被番組推薦端末３０への番組推薦情報送信要求を通知する（ステップＳＴ４８）。
番組推薦情報送信要求には、番組推薦情報Ｒ、メッセージ情報Ｍ、および番組推薦端末２０のネットワークアドレスである推薦元アドレスＳが含まれる。
通信部２０５は番組推薦情報送信要求を受信すると、推薦先の被番組推薦端末３０のネットワークアドレスＤ宛に、ネットワーク４０を介してこれらの情報を送信する（ステップＳＴ４９）。
以上で、番組推薦端末２０による番組推薦情報の送信処理が終了する。
【００２０】
次に、番組推薦端末２０から番組推薦情報を受信した被番組推薦端末３０の動作について説明する。
図７は、被番組推薦端末３０の動作を説明する図である。
通信部３０５は、ネットワーク４０を介して番組推薦端末２０から送信された番組推薦情報Ｒ、メッセージ情報Ｍ、推薦元アドレスＳを受信する（ステップＳＴ７０）。
通信部３０５は、受信したデータをシステム制御部３０７に通知する（ステップＳＴ７１）。
システム制御部３０７は、番組推薦元認証部３０８に対し、受信した推薦元アドレスＳを通知する（ステップＳＴ７２）。
番組推薦元認証部３０８は、番組推薦元管理情報記憶部３１０に格納された番組推薦元管理テーブルを参照し、通知された推薦元アドレスＳによって特定される番組推薦端末２０の権限を確認する。
【００２１】
図８は、番組推薦元管理テーブルの内容を示す図である。図に示すように、番組推薦元管理テーブルには、推薦元の番組推薦端末２０のネットワークアドレスを示す推薦元アドレスと、その番組推薦端末２０の所有者のユーザ名、およびその番組推薦端末２０に対して与えられた権限の内容が対応付けて記憶されている。
番組推薦元認証部３０８は、送信元アドレスＳによって特定される番組推薦端末２０に与えられた権限をシステム制御部３０７に通知する。例えば、権限が「推薦許可」であれば、システム制御部３０７に対し、推薦許可通知および、該番組推薦端末２０の所有者のユーザ名を通知する（ステップＳＴ７３）。また、番組推薦元管理テーブルに、送信元アドレスＳに一致する推薦元アドレスが登録されていない場合は、番組推薦元認証部３０８からシステム制御部３０７に対する既定の通知として、「推薦許可」および「推薦拒否」のいずれかを通知するようにしてもよい。また、ユーザが既定の通知を「推薦許可」および「推薦拒否」のいずれかに設定できるようにしてもよい。
【００２２】
システム制御部３０７は、番組推薦元認証部３０８から推薦許可通知を受信すると、ステップＳＴ７１で取得した番組推薦情報Ｒを番組推薦部３０６へ通知する（ステップＳＴ７４）。
番組推薦部３０６は、通知された番組推薦情報Ｒに基づいて推薦番組の検索を行う（ステップＳＴ７５）。
番組推薦部３０６は、番組情報取得部３０３を介して取得した番組情報の中から、推薦された番組を検索する。検索の方法は、例えば番組推薦情報Ｒに番組ＩＤが含まれる場合には番組ＩＤを基に番組を特定する。また、番組の放送時間帯、キーワード等の条件が含まれている場合には、それらの条件に合致する番組を抽出する。
番組推薦部３０６は、検索された推薦番組が現在放送中のものである場合は、システム制御部３０７に、検索された番組情報と共に、番組推薦通知を送信する（ステップＳＴ７６）。
【００２３】
システム制御部３０７は、番組推薦通知を受信すると、表示部３０４に対し、画面上に図９に示すような番組推薦情報ダイアログ９１を表示するよう命令する。図に示すように、番組推薦情報ダイアログ９１は、番組推薦者表示領域９２、番組タイトル表示領域９３、メッセージ表示領域９４から構成される。
番組推薦者表示領域９２には、ステップＳＴ７３で取得した番組推薦端末２０の所有者のユーザ名が表示される。番組タイトル表示領域９３には、ステップＳＴ７６で取得した推薦された番組のタイトルが表示される。また、メッセージ表示領域９４には、ステップＳＴ７１で取得した番組推薦者からのメッセージＭの内容が表示される。
ここで、ステップＳＴ７３で取得した番組推薦元認証部３０８からの通知に「自動選局許可」が含まれている場合には、システム制御部３０７は、放送受信部３０２に対し、推薦された番組を放送している放送局を選局するように命令する。
【００２４】
また、番組推薦部３０６は、ステップＳＴ７４で通知された推薦番組が将来放送される予定の番組であった場合には、推薦番組の情報を一時保存しておき、その番組の放送開始時間の直前になったら、システム制御部３０７に対し番組推薦通知を送信する。
また、ステップＳＴ７３で取得した番組推薦元認証部３０８からの通知が「推薦拒否」であった場合には、システム制御部３０７はステップＳＴ７１で受信したデータを破棄し、処理を中止する。
以上のようにこの実施の形態１によれば、番組推薦を友人・知人の間で行う際、番組コンテンツそのものではなく、推薦する番組を特定するのに必要な情報のみを番組推薦者端末から被番組推薦者端末へ送信することにより、多くの通信帯域を必要とすることなく番組の推薦を行える。また、番組コンテンツの送信に伴う著作権上の問題も回避できる。
【００２５】
実施の形態２．
図１０は、この発明の実施の形態２による番組推薦端末７０の構成を示すブロック図である。図２と同一の符号は、同一の構成要素を表している。番組推薦端末７０は、録画・再生部７０１を備えている。
また、図１１は、実施の形態２による被番組推薦端末８０の構成を示すブロック図である。図３と同一の符号は、同一の構成要素を表している。被番組推薦端末８０は、録画・再生部８０１を備えている。
次に、動作について説明する。
実施の形態１では、番組推薦端末２０のユーザが推薦する番組は現在放送中、または将来放送予定の番組であったが、実施の形態２では、録画・再生部７０１で管理されている録画番組の推薦も行う。すなわち、ユーザは、録画・再生部７０１によって録画された番組を操作入力部２０９を介して推薦番組として指定することができる。
録画・再生部７０１および録画・再生部８０１は、番組の録画を行う際、番組映像と共に、番組情報取得部２０３および番組情報取得部３０３により供給される番組情報と同様の番組情報を録画番組について作成し記録する。
【００２６】
指定の方法は、実施の形態１と同様に、視聴中の録画番組を指定してもよいし、録画・再生部７０１が管理する録画番組の表示部２０４を介して画面上に表示させ、そこから指定するようにしてもよい。指定された番組推薦要求は、実施の形態１と同様にシステム制御部２０７に通知される。
番組推薦情報生成部２０６は、実施の形態１と同様に、システム制御部２０７から番組推薦情報生成要求の通知を受け、番組推薦情報Ｒを生成する。
このとき、ユーザが推薦番組として指定した番組だけでなく、ユーザが録画予約を行った番組全てを推薦番組とするように、システム制御部２０７が番組推薦情報生成部２０６に通知してもよく、この場合には、全ての録画予約番組について番組推薦情報Ｒが生成される。
【００２７】
以降の番組推薦端末７０による番組推薦処理は、図４に示した実施の形態１の動作と同様である。
次に、実施の形態２による被番組推薦端末８０の動作について説明する。
実施の形態１と同様に、通信部３０５において番組推薦情報Ｒ、メッセージＭ、推薦元アドレスＳを含むデータの受信が検出されると、受信データは通信部３０５からシステム制御部３０７へ通知される。
次に、システム制御部３０７は、番組推薦元認証部３０８に対し、受信した推薦元アドレスＳを通知する。
【００２８】
番組推薦元認証部３０８は、番組推薦元管理情報記憶部３１０に格納された番組推薦元管理テーブルを参照し、通知された推薦元アドレスＳによって特定される番組推薦端末７０の権限を確認する。
図１２は、実施の形態２による番組推薦元管理テーブルの内容を示す図である。図８に示した実施の形態１による番組推薦元管理テーブルと同様に、推薦元の番組推薦端末７０のネットワークアドレスを示す推薦元アドレスと、その番組推薦端末７０の所有者のユーザ名、およびその番組推薦端末７０に対して与えられた権限の内容が対応付けて記憶されている。権限の種類には、「推薦許可」や「自動選局許可」の他に、「自動番組再生許可」、「自動録画許可」がある。
番組推薦元認証部３０８は、送信元アドレスＳによって特定される番組推薦端末７０に与えられた権限をシステム制御部３０７に通知する。
【００２９】
システム制御部３０７は、番組推薦元認証部３０８から推薦許可通知を受信すると、録画・再生部８０１から番組情報を取得する。システム制御部３０７は、この番組情報と番組推薦情報Ｒを番組推薦部３０６へ通知する。
番組推薦部３０６は、通知された番組情報の中に番組推薦情報Ｒで推薦されている番組があるかどうかを検索し、推薦番組があれば、システム制御部３０７にその番組情報と共に、番組推薦通知を送信する。
また、番組推薦部３０６は、録画番組情報の中に、推薦された番組が含まれていない場合には、実施の形態１と同様に、現在放送中の番組、または将来放送予定の番組の中に推薦番組があるかどうかを検索する。推薦番組が検出されれば、システム制御部３０７に対し、その番組情報と共に番組推薦通知を送信する。
【００３０】
システム制御部３０７は、実施の形態１と同様に、表示部３０４に対し、図９に示すような番組推薦情報ダイアログ９１を画面に表示するよう命令する。
また、番組推薦元認証部３０８からの通知に「自動番組再生許可」が含まれている場合には、システム制御部３０７は、録画・再生部８０１に対し、推薦された番組を再生するように命令する。
また、番組推薦元認証部３０８からの通知に「自動録画許可」が含まれている場合には、システム制御部３０７は、番組推薦部３０６から通知を受けた将来放送予定の推薦番組の録画予約を行うよう録画・再生部８０１に命令する。
上記のようにして録画予約された番組の録画が終了すると、録画・再生部８０１は、システム制御部３０７へ録画完了通知を送信する。システム制御部３０７は、表示部３０４に対し、図９に示すような番組推薦情報ダイアログ９１を画面に表示するよう命令し、被番組推薦端末８０のユーザに、推薦番組が録画され、視聴可能になったことを知らせる。
【００３１】
以上のように実施の形態２によれば、現在および将来放送される番組だけでなく、過去に録画された番組も推薦対象とすることができる。この場合にも、実施の形態１と同様に、推薦する番組を特定するのに必要な情報のみを番組推薦者端末から被番組推薦者端末へ送信するようにしたので、多くの通信帯域を必要とすることなく番組の推薦を行える。また、番組コンテンツの送信に伴う著作権上の問題も回避できる。
今後、録画装置の記憶容量の増大に伴い大量の番組を録画することが可能になると予想される。この際、実施の形態２によれば、大量の録画番組の中から推薦番組を効率よく選択することができる。
【００３２】
実施の形態３．
実施の形態３では、実施の形態２の機能に加え、番組推薦者が録画番組の中から、自分が特に薦めるシーンを指定して番組を推薦することができる。
実施の形態３による、番組推薦端末７０の動作について説明する。
番組推薦端末７０のユーザが、録画・再生部７０１によって再生される録画番組の視聴中に、番組シーンを特定して番組推薦を行う旨を操作入力部２０９を介して入力すると、システム制御部２０７は、表示部２０４に対し、図１３に示すような画面を表示するよう命令する。図に示すように、画面上に推薦シーン表示バー１３００が表示される。推薦シーン表示バー１３００は、推薦シーン領域１３０１、非推薦シーン領域１３０２、シーン選択スライダ１３０３から構成される。
【００３３】
ユーザが、操作入力部２０９を介してシーン選択スライダ１３０３を移動させ、推薦したいシーンを指定する。シーン選択スライダ１３０３を左右に移動させると、その動きに連動して録画・再生部７０１による番組再生が早送り／巻き戻しされる。ユーザが指定したシーンに対応する推薦シーン表示バー１３００上の領域が推薦シーン領域１３０１となる。
シーンの選択が終了すると、選択したシーン情報は、システム制御部２０７によって、録画番組の番組情報と共に番組推薦情報生成部２０６に通知され、番組推薦情報生成部２０６は、通知された番組情報と共に、選択したシーンの情報も含めて番組推薦情報Ｒを生成する。選択シーンは再生時間等により特定される。
【００３４】
以降の番組推薦端末７０による番組推薦処理は、図４に示した実施の形態１の動作と同様である。
次に、実施の形態２による被番組推薦端末８０の動作について説明する。
実施の形態１、２と同様に、通信部３０５において番組推薦情報Ｒ、メッセージＭ、推薦元アドレスＳを含むデータの受信が検出されると、受信データは通信部３０５からシステム制御部３０７へ通知される。
次に、システム制御部３０７は、番組推薦元認証部３０８に対し、受信した推薦元アドレスＳを通知する。
番組推薦元認証部３０８は、番組推薦元管理情報記憶部３１０に格納された番組推薦元管理テーブルを参照し、通知された推薦元アドレスＳによって特定される番組推薦端末７０の権限をシステム制御部３０７に通知する。
システム制御部３０７は、番組推薦元認証部３０８から推薦許可通知を受信すると、録画・再生部８０１で管理されている番組情報と番組推薦情報Ｒを番組推薦部３０６へ通知する。
【００３５】
番組推薦部３０６は、通知された番組情報の中に推薦番組があるかどうかを検索し、推薦番組があれば、システム制御部３０７にその番組情報と共に、番組推薦通知を送信する。また、推薦された番組が番組情報の中に含まれない場合には、その時点で推薦処理を中止する。
システム制御部３０７は、実施の形態１と同様に、表示部３０４に対し、図９に示すような番組推薦情報ダイアログ９１を画面に表示するよう命令する。
また、番組推薦元認証部３０８からの通知に「自動番組再生許可」が含まれている場合には、システム制御部３０７は、録画・再生部８０１に対し、推薦された番組を再生するように命令する。このとき、番組推薦情報Ｒに、推薦番組についての推薦シーン情報が含まれていた場合には、録画・再生部８０１は、推薦シーンのみを再生する。
また、録画・再生部８０１が、推薦シーンのみを集めて編集したものを再生するようにしてもよい。
また、番組映像と共に図１３に示した推薦シーン表示バー１３００を表示して、推薦シーンにジャンプできるようにしても良い。
【００３６】
以上のように実施の形態３によれば、過去に録画された番組を特定する情報とともに、その番組内シーンを特定する情報を番組推薦情報に含めるようにしたので、番組推薦を受けたユーザは、推薦者が選んだ特定のシーンだけを効率よく視聴することができる。
【図１】
0004455503.tif 000002
【図２】
0004455503.tif 000003
【図３】
0004455503.tif 000004
【図４】
0004455503.tif 000005
【図５】
0004455503.tif 000006
【図６】
0004455503.tif 000007
【図７】
0004455503.tif 000008
【図８】
0004455503.tif 000009
【図９】
0004455503.tif 000010
【図１０】
0004455503.tif 000011
【図１１】
0004455503.tif 000012
【図１２】
0004455503.tif 000013
【図１３】
0004455503.tif 000014